(57)【要約】【課題】開閉部材のクリック停止時の機能を確実に強化すると同時に、開閉部材を容易に回転させることができるヒンジを提供する。【解決手段】機器本体に取り付け固定される固定ブラケット１と；固定ブラケット１に回転自在に支持されると共に、開閉部材に取り付け固定される回転軸２と；固定ブラケット１に固定されると共に回転軸２を回転可能に挿通させる固定側制御部材４ａと、回転軸２と共に回転し軸方向に移動可能な回転側制御部材４ｂから成るクリック機能付きトルク制御手段４と；回転側制御部材４ｂを固定側制御部材４ａの方向に付勢する弾性手段５と；から構成され、固定側制御部材４ａにクリック凹部４ａ−３またはクリック凸部４ｂ−２を形成すると共に、回転側制御部材４ｂにクリック凹部４ｂ−２またはクリック凸部４ａ−３に係脱するクリック凸部４ａ−３またはクリック凹部４ｂ−２を形成し、これらのクリック凹凸部が係合した時、回転側制御部材４ｂと固定側制御部材４ａを磁力により引きつける磁性を両部材に持たせる。【選択図】        図１
2005147323.tif 000002
【特許請求の範囲】
【請求項１】
ノート型パソコン等の機器本体に対して、その蓋やディスプレイ等の開閉部材を開閉自在に連結すると共に、該開閉部材を任意の開閉状態に保持し、しかも、開閉部材の閉止状態を維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材にクリック凹部またはクリック凸部を形成すると共に、上記回転側制御部材に上記クリック凹部またはクリック凸部に係脱するクリック凸部またはクリック凹部を形成し、これらのクリック凹凸部が係合した時、回転側制御部材と固定側制御部材を磁力により引きつける磁性を両部材に持たせたことを特徴とするヒンジ。
【請求項２】
上記磁性を、クリック凹部およびクリック凸部に持たせたことを特徴とする請求項１に記載のヒンジ。
【請求項３】
ノート型パソコン等の機器本体に対して、その蓋やディスプレイ等の開閉部材を開閉自在に連結すると共に、該開閉部材を任意の開閉状態に保持し、しかも、開閉部材の閉止状態を安定して維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材に磁性片を設けると共に、上記回転側制御部材の一部に磁性を持たせて、クリック停止時に、回転側制御部材の磁性部が固定側制御部材の磁性片に近づいて磁力により引きつけられるように構成したことを特徴とするヒンジ。
【発明の詳細な説明】
【技術分野】
【０００１】
本発明は、ノート型パソコン等の機器本体に対して、その蓋やディスプレイ等の開閉部材を開閉自在に連結すると共に、該開閉部材を任意の開閉状態に保持し、しかも、開閉部材の閉止状態を安定して維持するためのクリック停止手段を有するヒンジに関するものである。
【背景技術】
【０００２】
従来の、この種のヒンジとしては、例えば、上記クリック停止手段が、上記機器本体と開閉部材の間に設けられる回転シャフトと共に回転するカムプレートと、このカムプレートに係合するボールと、該ボールをカムプレートに押圧する弾性手段から構成されるものがある。（特許文献１参照）また、固定側と可動側の一方に位置するヒンジ軸と、他方に位置し該ヒンジ軸に回転自在に取り付けられるＵ字状板バネとから成り、該ヒンジ軸にカム凹面を形成すると共に、板バネにカム凸部を形成して、ヒンジ軸と板バネとの相対回転でクリック感を得るように構成したヒンジ装置がある。（例えば、特許文献２参照）
【０００３】
しかし、上記特許文献１の従来技術は、弾性手段によりボールをカムプレートに押圧するように構成されているので、弾性力が弱いとクリック停止（開閉部材の閉止）状態は不安定になり、弾性力を強くして摩擦トルクを大きくするとボールやカムプレートが摩耗し易いだけでなく、強い力で開閉部材を回転させなければならない等の欠点があった。
【０００４】
また、上記特許文献２の従来技術にも、板バネにより開閉部材の閉止状態を安定して維持するには限界があった。
【特許文献１】特開平１０−０４７３３８号公報
【特許文献２】特開２００２−０３９１６０号公報
【発明の開示】
【発明が解決しようとする課題】
【０００５】
本発明の解決しようとする課題は、開閉部材のクリック停止時の機能を確実に強化すると同時に、開閉部材を容易に回転させることができるヒンジを提供することにある。
【課題を解決するための手段】
【０００６】
本発明は、ノート型パソコン等の機器本体に対して、その蓋やディスプレイ等の開閉部材を開閉自在に連結すると共に、該開閉部材を任意の開閉状態に保持し、しかも、開閉部材の閉止状態を維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材にクリック凹部またはクリック凸部を形成すると共に、上記回転側制御部材に上記クリック凹部またはクリック凸部に係脱するクリック凸部またはクリック凹部を形成し、これらのクリック凹凸部が係合した時、回転側制御部材と固定側制御部材を磁力により引きつける磁性を両部材に持たせたことを特徴とする。また、上記磁性を、クリック凹部およびクリック凸部に持たせたことを特徴とする。さらに、ノート型パソコン等の機器本体に対して、その蓋やディスプレイ等の開閉部材を開閉自在に連結すると共に、該開閉部材を任意の開閉状態に保持し、しかも、開閉部材の閉止状態を安定して維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材に磁性片を設けると共に、上記回転側制御部材の一部に磁性を持たせて、クリック停止時に、回転側制御部材の磁性部が固定側制御部材の磁性片に近づいて磁力により引きつけられるように構成したことを特徴とする。
【発明の効果】
【０００７】
本発明のヒンジは、クリック機能付きトルク制御手段のクリック凹凸部が係合した時、このクリック凹凸部の係合状態を磁力によりアシストするように構成したので、皿バネによる摩擦トルクを強化することなく、安定かつ確実にクリック状態を維持することができるだけでなく、開閉部材を容易に回転させることができるという利点がある。
【発明を実施するための最良の形態】
【０００８】
図１は、本発明ヒンジの第１の実施例を示す要部の分解斜視図であって、１は固定側ブラケットであって、機器本体（図示せず）に取り付け固定されている。２は回転軸であって、機器の開閉部材（図示せず）に取り付け固定されている。該回転軸２の端部には、取付軸部２ａとフランジ部２ｂが形成されていて、該取付軸部２ａは上記固定側ブラケット１の取付孔１ａに挿設され、フランジ部２ｂがワッシャー３を介して、固定側ブラケット１の側面に当接する。
【０００９】
４はクリック機能付きトルク制御手段であって、固定側制御部材４ａと回転側制御部材４ｂから構成されている。該固定側制御部材４ａには、軸孔４ａ−１と摩擦面４ａ−２とクリック凹部４ａ−３が形成されていると共に、反対側に固定ピン４ａ−４が突設されている。上記軸孔４ａ−１には上記回転軸２の取付軸部２ａが回転自在に挿通する。上記固定ピン４ａ−４は上記固定側ブラケット１に形成されたピン孔１ｂに嵌挿される。また、前記回転側制御部材４ｂには、軸孔４ｂ−１とクリック凸部４ｂ−２が形成されている。該軸孔４ｂ−１には上記回転軸２の取付軸部２ａが一体的に回転するように挿設される。上記クリック凸部４ｂ−２は、上記固定側制御部材４ａのクリック凹部４ａ−３と嵌合して、クリック停止機能を発揮するようになっている。クリック凹部４ａ−３およびクリック凸部４ｂ−２は、それぞれ相異なる磁極の磁性を有すると共に、それぞれ両側に斜面が形成されている。なお、上記クリック凹部４ａ−３を上記回転側制御部材４ｂに、また、上記クリック凸部４ｂ−２を固定側制御部材４ａに形成してもよい。
【００１０】
５は皿バネであって、上記回転側制御部材４ｂを上記固定側制御部材４ａに弾性的に押圧する。６は押え用ワッシャーである。
【００１１】
本実施例のヒンジは以上のように構成されているので、開閉部材が閉じている時には、図２（Ａ）に示すように、上記クリック凸部４ｂ−２はクリック凹部４ａ−３に嵌合して、クリック停止機能を発揮する。しかも、これらクリック凸部４ｂ−２とクリック凹部４ａ−３は、相互に引きつける磁性を有するので、上記クリック停止機能が確実かつ強化されている。開閉部材を開くと、図２（Ｂ）に示すように、上記皿バネ５の押圧力に抗して、クリック凸部４ｂ−２がクリック凹部４ａ−３から外れ、摩擦面４ａ−２に対する摩擦力により開閉部材が任意の角度位置に保持される。
【００１２】
図３は、本発明ヒンジの第２の実施例を示す要部の分解斜視図であって、固定側ブラケット１，回転軸２、ワッシャー３、皿バネ５および押え用ワッシャー６は、上記第１の実施例と同じ部材と機能を有する。
【００１３】
７は、クリック機能付きトルク制御手段であって、固定側制御部材７ａと回転側制御部材７ｂから構成されている。上記固定側制御部材７ａには、軸孔７ａ−１と摩擦面７ａ−２と磁性片７ａ−３が形成されていると共に、反対側に固定ピン７ａ−４が突設されている。磁性片７ａ−３は永久磁石となっている。上記軸孔７ａ−１には上記回転軸２の取付軸部２ａが回転自在に挿通する。上記固定ピン７ａ−４は上記固定側ブラケット１に形成されたピン孔１ｂに嵌挿される。また、上記回転側制御部材７ｂは、軸孔７ｂ−１が形成されていると共に、その両端部７ｂ−２は磁性を有する。
【００１４】
本実施例のヒンジは以上のように構成されているので、開閉部材が閉じている時には、図４（Ａ）に示すように、上記回転側制御部材７ｂの両端部７ｂ−２が、固定側制御部材７ａの磁性片７ａ−３の位置にあって、磁力により相互に引きつけられていて、クリック停止機能を発揮する。しかも、該回転側制御部材７ｂは皿バネ５により固定側制御部材７ａの摩擦面７ａ−２に圧接されていて、その摩擦力により、クリック停止機能が確実かつ強化されている。また、開閉部材を開くと、図４（Ｂ）に示すように、上記磁力に抗して、開閉部材が回転して、上記摩擦力により、任意の回転角に保持される。
【００１５】
本発明は、上記実施例に限定するものではなく、要するに、クリック停止時にのみ弾性力に加えて磁力をアシストさせ得る構成であれば、磁性を持たせる位置や極性は、いずれでもよい。
【図面の簡単な説明】
【００１６】
【図１】本発明のヒンジの一実施例の要部の分解斜視図である。
【図２】図１のクリック機能付きトルク制御手段の作用説明図である。
【図３】本発明のヒンジの別の実施例の要部の分解斜視図である。
【図４】図３のクリック機能付きトルク制御手段の作用説明図である。
【符号の説明】
【００１７】
１    固定側ブラケット
２    回転軸
２ａ  取付軸部
２ｂ  フランジ部
３    ワッシャー
４    クリック機能付きトルク制御手段
４ａ  固定側制御部材
４ａ−１  軸孔
４ａ−２  摩擦面
４ａ−３  クリック凹部
４ａ−４  固定ピン
４ｂ  回転側制御部材
４ｂ−１  軸孔
４ｂ−２  クリック凸部
５    皿バネ
６    押え用ワッシャー
７    クリック機能付きトルク制御手段
７ａ  固定側制御部材
７ａ−１  軸孔
７ａ−２  摩擦面
７ａ−３  磁性片
７ａ−４  固定ピン
７ｂ  回転側制御部材
７ｂ−１  軸孔
７ｂ−２  端部
【図１】
2005147323.tif 000003
【図２】
2005147323.tif 000004
【図３】
2005147323.tif 000005
【図４】
2005147323.tif 000006